(57)【要約】【課題】パチンコ機等の遊技機に取り付ける際に、遊技を妨げることなく多量の負イオンを遊技者に放出して空気の浄化、殺菌、消臭等を行い、健康的に遊技を行える遊技機用イオン発生ユニット及びそれを用いた遊技機を提供する。【解決手段】イオン発生ユニット１００（イオン発生電極１０）は、正面から見て円形状の遊技領域３０３よりも外側で、かつ遊技領域３０３の前方を覆う矩形状のガラス枠３２２の周縁よりも外側に配設されている。そして、イオン発生ユニット１００は、遊技機３００の固定枠３１０及び／又は固定枠３１０に対して回動可能に軸支される扉状の回転枠３２０に配置固定されている。【選択図】　図１
2004105302.tif 000002
【特許請求の範囲】
【請求項１】
遊技機において遊技盤の前面に形成された遊技領域よりも外側に配設され、負極性の高電圧印加により負イオンを発生させるイオン発生電極と、
前記遊技機の所定位置に取り付けられ、イオン発生用の高電圧を前記イオン発生電極に印加するための高電圧発生回路が搭載されたイオン発生用制御基板と、
を備えることを特徴とする遊技機用イオン発生ユニット。
【請求項２】
遊技機において遊技盤の前面に形成された遊技領域の前方を覆うガラス枠の周縁よりも外側に配設され、負極性の高電圧印加により負イオンを発生させるイオン発生電極と、
前記遊技機の所定位置に取り付けられ、イオン発生用の高電圧を前記イオン発生電極に印加するための高電圧発生回路が搭載されたイオン発生用制御基板と、
を備えることを特徴とする遊技機用イオン発生ユニット。
【請求項３】
前記イオン発生電極は、前記遊技機の固定枠又は回転枠の周縁部に形成され少なくとも前面側に開口した収容空間部に収容されるとともに、その先端が前記開口に向って配置されている請求項１又は２に記載の遊技機用イオン発生ユニット。
【請求項４】
前記遊技盤の後面側には、前記遊技盤上で行われる遊技の制御を司る主制御基板と、遊技球の発射を制御する発射制御基板と、賞球の払い出しを制御する払出制御基板とが少なくとも設けられ、
前記イオン発生用制御基板は前記遊技機の周縁部に取り付けられる請求項１ないし３のいずれか１項に記載の遊技機用イオン発生ユニット。
【請求項５】
前記イオン発生用制御基板は前記遊技機の電源ユニットと接続され、その電源ユニットの電源制御回路にて所定電圧に調整された出力電圧が前記イオン発生用制御基板の前記高電圧発生回路に入力される請求項１ないし４のいずれか１項に記載の遊技機用イオン発生ユニット。
【請求項６】
前記イオン発生電極及び前記イオン発生用制御基板は一体化され、ケースに収容されている請求項１ないし５のいずれか１項に記載の遊技機用イオン発生ユニット。
【請求項７】
前記イオン発生電極で発生する負イオンの発生量を当該イオン発生電極から所定距離隔てた位置において計測するイオン測定器、
そのイオン測定器で計測した負イオンの発生量を表示するイオンレベル表示器、
及び前記イオン発生電極に付着する付着物を除去するクリーニング機構、
のうち少なくとも１つを有する請求項１ないし６のいずれか１項に記載の遊技機用イオン発生ユニット。
【請求項８】
前記イオン測定器は、前記遊技領域の下方において前記回転枠を構成する上皿の前面部に取り付けられている請求項７に記載の遊技機用イオン発生ユニット。
【請求項９】
請求項１ないし８のいずれか１項に記載の前記遊技機用イオン発生ユニットを備えることを特徴とする遊技機。
【発明の詳細な説明】
【０００１】
【発明の属する技術分野】
本発明は、遊技機用イオン発生ユニット及びそれを用いた遊技機に関する。
【０００２】
【従来の技術】
従来より、室内あるいは自動車内の空気の浄化、殺菌あるいは消臭等を行うために、イオン発生装置が使用されている。また、昨今においては、健康への関心の高さや環境への配慮への意識向上は目覚しいものがあり、ヘアドライヤ、空気清浄機、扇風機等の電気製品やエアコンディショナ等の空調設備にもイオン発生装置が組み込まれている。その一環として、パチンコ機、スロットマシン等の遊技機において、個々の遊技者が快適な環境で遊技を楽しむことができるように、遊技機の前面上方部に下方に向けて負イオンを放出するイオン発生装置を取り付ける技術が開示されている（例えば、特許文献１参照）。
【０００３】
【特許文献１】
登録実用新案第３０８５０２５号公報
【０００４】
【発明が解決しようとする課題】
ところが、遊技機の前面上方部にイオン発生装置を取り付けると遊技を妨げるおそれがある他、例えば遊技盤の前面に形成された遊技領域の内側に設けた場合には、次のような不具合が発生する。すなわち、遊技領域内においては遊技球同士あるいは遊技球と遊技盤や役物構成部材との間に生じる摩擦等によって、これらの表面には静電気が発生しやすい。このため、遊技領域内において折角負イオンを発生させてもこれらの静電気を除去するために消費されてしまうので、前方の遊技者側への放出量が極めて僅かなものとなる。また、遊技領域の前方を覆うガラス枠の周縁より内側にイオン発生装置を設けた場合には、ガラス面により負イオンの放出が遮断されてしまう。これを防ぐためにガラス枠に孔をあけたりすることは、コストアップになる他、不正解錠等の防犯上の問題・遊技領域への塵埃侵入等の問題を誘発するおそれがある。
【０００５】
本発明の解決すべき課題は、パチンコ機等の遊技機に取り付ける際に、遊技を妨げることなく多量の負イオンを遊技者に放出して空気の浄化、殺菌、消臭等を行い、健康的に遊技を行える遊技機用イオン発生ユニット及びそれを用いた遊技機を提供することにある。
【０００６】
【課題を解決するための手段及び発明の効果】
上記のような課題を解決するために、本発明の遊技機用イオン発生ユニットは、第一の態様として、
遊技機において遊技盤の前面に形成された遊技領域よりも外側に配設され、負極性の高電圧印加により負イオンを発生させるイオン発生電極と、
前記遊技機の所定位置に取り付けられ、イオン発生用の高電圧を前記イオン発生電極に印加するための高電圧発生回路が搭載されたイオン発生用制御基板と、
を備えることを特徴とする。
【０００７】
このような遊技機用イオン発生ユニットによれば、イオン発生電極で発生する負イオンが遊技領域内に発生する静電気を除去するために消費されずにすみ、遊技を妨げることなく遊技者に多量の負イオンを放出するので、空気の浄化、殺菌、消臭作用等により遊技を健康的に楽しむことができる。
【０００８】
また、上記のような課題を解決するために、本発明の遊技機用イオン発生ユニットは、第二の態様として、
遊技機において遊技盤の前面に形成された遊技領域の前方を覆うガラス枠の周縁よりも外側に配設され、負極性の高電圧印加により負イオンを発生させるイオン発生電極と、
前記遊技機の所定位置に取り付けられ、イオン発生用の高電圧を前記イオン発生電極に印加するための高電圧発生回路が搭載されたイオン発生用制御基板と、
を備えることを特徴とする。
【０００９】
このような遊技機用イオン発生ユニットによれば、イオン発生電極で発生する負イオンの放出がガラス面により遮断されずにすみ、遊技を妨げることなく遊技者に多量の負イオンを放出するので、空気の浄化、殺菌、消臭作用等により遊技を健康的に楽しむことができる。また、ガラス枠に孔をあけずにすむので、コストアップ（製造上の問題）、不正解錠（防犯上の問題）、遊技領域への塵埃侵入（密閉性の問題）等を防止することもできる。
【００１０】
このとき、イオン発生電極を、遊技機の固定枠又は回転枠の周縁部に形成され少なくとも前面側に開口した収容空間部に収容するとともに、その先端を開口に向って配置すれば、遊技を妨げることなく遊技者に向けて直接的に多量の負イオンを放出することができる。また、イオン発生電極が収容空間部に収容されているために、遊技店内の塵埃等の汚れ物質が付着しにくい。特に、収容空間部を固定枠又は回転枠の上縁部に形成する場合には、遊技者は、固定枠又は回転枠の上縁部の収容空間部に収容されたイオン発生電極から放出される負イオンを全身にシャワー状に浴びることになってより快適な環境で遊技が楽しめる。なお、ここで「固定枠」とは「島に対して固定状態に取り付けられる外枠」をいい、「回転枠」とは「固定枠に対して回動可能に取り付けられる扉状の内枠全体」をいうものとする。
【００１１】
そして、イオン発生用制御基板を遊技機の周縁部に取り付けるときには、イオン発生用制御基板は、遊技盤の後面側に設けられる遊技機用の各種制御基板、例えば遊技盤上で行われる遊技の制御を司る主制御基板、遊技球の発射を制御する発射制御基板、賞球の払い出しを制御する払出制御基板等から遠ざけられた位置に配置される。一般的に、高電圧発生回路では数百〜数千Ｖもの高電圧を発生し、これによりイオン発生用制御基板は上記各種制御基板に対してノイズ発生源となりやすい。しかし、ここではイオン発生用制御基板は各種制御基板に対して相対的に離間して配置されるので、各種制御基板にはノイズが乗りにくく、誤作動を起こしにくい。特に、イオン発生用制御基板を遊技機の固定枠又は回転枠の周縁部に取り付ける場合には、イオン発生用制御基板を遊技機用の各種制御基板から可能な限り遠ざけて配置できる。
【００１２】
なお、イオン発生電極及びイオン発生用制御基板を一体化してケースに収容すると、既に述べたイオン発生電極への汚れ付着防止効果を一層高めることができる。また、金属製ケースで構成する場合又はケースにメッキを施す場合には、イオン発生用制御基板からのノイズ発生を軽減することができる。
【００１３】
ところで、イオン発生用制御基板を遊技機の電源ユニットと接続し、その電源ユニットの電源制御回路で所定電圧に調整した出力電圧をイオン発生用制御基板の高電圧発生回路に入力することができる。この場合には、例えば遊技機の電源ユニットを介してＡＣ２４ＶをＤＣ１２Ｖに変換した後イオン発生用制御基板へ電源入力することができるので、遊技機に遊技機用イオン発生ユニットを予め組み付けて出荷するのに便利である。なお、遊技店（遊技ホール）に設置済みの遊技機に遊技機用イオン発生ユニットを後付けで取り付けるには、遊技機の電源ユニットを介さず、島毎に設置の電源（例えばＡＣ２４Ｖ）からダイレクトにイオン発生用制御基板の高電圧発生回路に入力すればよい。遊技機の改造を伴わないので、遊技機用イオン発生ユニットの取り付けが簡便に行える。
【００１４】
さらに、このような遊技機用イオン発生ユニットは、
・イオン発生電極で発生する負イオンの発生量をイオン発生電極から所定距離隔てた位置において計測するイオン測定器；
・イオン測定器で計測した負イオンの発生量を表示するイオンレベル表示器；
・イオン発生電極に付着する付着物を除去するクリーニング機構；
のうち少なくとも１つを有することができる。このうち、イオン測定器は、遊技領域の下方において回転枠を構成する上皿の前面部に取り付けるのが望ましい。遊技機のうち遊技者に最も近い位置で、かつ負イオンの放出流が下皿付近に載置される玉箱（ドル箱）等によって遮られることなく、負イオンの発生量をより正確に計測することができ、これに伴ってイオンレベル表示器の表示にも正確を期することができる。なお、上皿は回転枠に一体化されて回転枠の一部として開閉可能に設ける他、第二の回転枠として独自に開閉可能に設けてもよい。
【００１５】
次に、上記課題を解決するために、本発明の遊技機は、このような遊技機用イオン発生ユニットを備えることを特徴とする。この遊技機によれば、遊技機用イオン発生ユニットから遊技を妨げることなく多量の負イオンを遊技者に放出して空気の浄化、殺菌、消臭等を行い、健康的に遊技を行える。
【００１６】
なお、本発明の遊技機用イオン発生ユニットあるいはイオン測定器、イオンレベル表示器、クリーニング機構については、例えば本出願人の出願に係る以下の公報に記載の技術を用いることができる。
・特開２００１−４６４８６号公報
・特開２００２−１５８３４号公報
・特開２００２−１８９０１７号公報
【００１７】
【発明の実施の形態】
（実施例１）
本発明に係る遊技機用イオン発生ユニットを搭載した遊技機の一例を図面を参照しつつ説明する。
図１に示すように、パチンコ機（以下、遊技機ともいう）３００の遊技盤３０１前面には、ほぼ左半周が内外２本の発射レール３０２によって区画され、全体としてほぼ円形の遊技領域３０３が形成されている。
【００１８】
本実施例に係る遊技機用イオン発生ユニット（以下、単にイオン発生ユニットともいう）１００は、負極性の高電圧印加により負イオンを発生させるイオン発生電極１０と、イオン発生用の高電圧（例えば５００〜７０００Ｖ）をイオン発生電極１０に印加するためのイオン発生用制御基板２０と、イオン発生電極１０及びイオン発生用制御基板２０を一体化して収容するケース６０とを基本構成としている（図５参照）。このイオン発生ユニット１００（イオン発生電極１０）は、正面から見て円形状の遊技領域３０３よりも外側で、かつ遊技領域３０３の前方を覆う矩形状のガラス枠３２２の周縁よりも外側に配設されている。そして、イオン発生ユニット１００は、遊技機３００の固定枠３１０（図２参照）及び／又は固定枠３１０に対して回動可能に軸支される扉状の回転枠３２０に配置固定されている（詳細は後述する）。
【００１９】
なお、本実施例において上方側とは鉛直上方側、下方側とは鉛直下方側を意味するものとする。また、後方側（又は後面側）とは遊技盤３０１の盤面と直交する方向（すなわち前後方向）における遊技機３００内部に向かう側（すなわち内部機構側）、前方側（又は前面側）とはそれとは反対側の遊技者に対面する側を意味する。
【００２０】
図２は、図１の一部を分解した状態の斜視図を示す。図２に示すように、遊技機３００は外枠を形成する矩形状の固定枠３１０と内枠を形成する矩形板状の回転枠３２０とを有している。固定枠３１０は島（図示せず）に対して固定状態に取り付けられ、回転枠３２０は正面視左側上下に設けられた第一の軸支手段（ヒンジ）３１１を介して固定枠３１０に対して前方側で回動（開閉）可能に軸支されている。回転枠３２０を閉じた状態において、正面から見ると固定枠３１０の外形線が回転枠３２０の後方に隠れ（図１参照）、背面から見ると固定枠３１０の外形線は回転枠３２０の外形線より外側に位置する（図４参照）ように、回転枠３２０の四辺の周縁部３２０ａ〜３２０ｄは固定枠３１０の四辺の周縁部３１０ａ〜３１０ｄとそれぞれ重合して配置されている。
【００２１】
回転枠３２０は、第一ヒンジ３１１で軸支される前面枠３２１と、正面視左側上下に設けられる第二の軸支手段（ヒンジ）３２３を介して前面枠３２１に対して前方側で回動（開閉）可能に軸支されたガラス枠３２２と、を有している。また、前面枠３２１の裏面側（後面側）には遊技盤３０１が固定枠状態に取り付けられている。つまり、前面枠３２１とガラス枠３２２と遊技盤３０１とは回転枠３２０を構成し、第一ヒンジ３１１を中心として全体が開閉可能に固定枠３１０に支持されている。なお、外側の発射レール３０２ａは前面枠３２１に、内側の発射レール３０２ｂは遊技盤３０１に、それぞれ固定されている。
【００２２】
図３（ａ）に示すように、ケース６０にイオン発生電極１０とイオン発生用制御基板２０とを一体化して収容したイオン発生ユニット１００（図５参照）は、固定枠３１０の上縁部３１０ａの右隅に形成された収容空間部３１２に収容されている。具体的には、ケース６０の上部が上縁部３１０ａの下面３１０ｅに固定されるとともに、ケース６０の前面側にはケース開口部６１が形成され、イオン発生電極１０はその先端部１０ａがケース開口部６１を向くように配置されている。一方、回転枠３２０（前面枠３２１）の上縁部３２０ａには、多数の通気孔３２１ａ（開口）が前後方向に貫通して形成され、各通気孔３２１ａは収容空間部３１２の前面側に連続する形で連設されている。したがって、イオン発生電極１０で発生した負イオンは、ケース開口部６１及び通気孔３２１ａを通り、回転枠３２０（前面枠３２１）の上縁部３２０ａの前面側から遊技者に向って放出される。
【００２３】
図３（ｂ）は図３（ａ）の変形例を示している。図３（ｂ）では、イオン発生ユニット１００は、回転枠３２０（前面枠３２１）の上縁部３２０ａの右隅に形成された凹部３２４（収容空間部）に収容されている。そして、上縁部３２０ａには、凹部３２４の前面側に連続する形で多数の通気孔３２１ａ（開口）が直接連設されている。したがって、イオン発生電極１０で発生した負イオンは、ケース開口部６１及び通気孔３２１ａを通り、回転枠３２０（前面枠３２１）の上縁部３２０ａの前面側から遊技者に向って放出される。３１３は、イオン発生ユニット１００を凹部３２４に装着するために、固定枠３１０の上縁部３１０ａの右隅に形成された切欠部を示す。
【００２４】
なお、更なる変更例として、図３（ｂ）において、イオン発生ユニット１００を上記切欠部３１３（収容空間部）の底面３１３ａ上に載置して取り付けることもできる。この場合、イオン発生電極１０で発生した負イオンは、回転枠３２０（前面枠３２１）の上縁部３２０ａの右隅に前後方向に貫通して形成された多数の通気孔３２１ａ（開口）を通り、遊技者に向って放出される。
【００２５】
図４に示すように、遊技盤３０１の裏面側（後面側）には、島（図示せず）に設置された電源（例えばＡＣ２４Ｖ）に接続される電源ユニット３０４が取り付けられている。この電源電圧は、電源ユニット３０４の電源制御回路３０４ａにおいて、遊技機３００の各種の制御基板で用いられる電圧に合せて調整され、それぞれ出力される。このような遊技機３００の制御基板として、
・遊技盤３０１前面上で行われる遊技の制御を司る主制御基板３０５；
・発射ハンドル３３１（図１参照）の操作に応じて発射装置３３０を始動させ、遊技球の発射を制御する発射制御基板３０６；
・賞球払出装置３４０を始動させ、賞球の払い出しを制御する払出制御基板３０７；
等が、遊技盤３０１の裏面側（後面側）に取り付けられている。
【００２６】
図４において、イオン発生ユニット１００を構成するイオン発生用制御基板２０は、ケース６０に収容される形で（図５参照）、固定枠３１０の上縁部３１０ａの右隅に形成された凹部３１２（図３（ａ）参照）、又は回転枠３２０（前面枠３２１）の上縁部３２０ａの右隅に形成された凹部３２４（図３（ｂ）参照）に収容・取付されている。また、イオン発生用制御基板２０は遊技機３００の電源ユニット３０４と接続され、電源ユニット３０４の電源制御回路３０４ａにて所定電圧（例えばＤＣ１２Ｖ）に調整された出力電圧がイオン発生用制御基板２０の高電圧発生回路２１（図５参照）に入力されている。
【００２７】
図５には、イオン発生電極１０とイオン発生用制御基板２０とを一体化し、ケース６０に収容したイオン発生ユニット１００を示している。この実施例では、高圧ケーブル１１（リード線）を介してイオン発生電極１０とイオン発生用制御基板２０とを一体化しているが、イオン発生用制御基板２０にイオン発生電極１０を直接搭載してもよい。なお、高電圧発生回路２１の詳細等については、前掲の公開公報に開示された技術を用いることができる。
【００２８】
図１に戻り、遊技機３００には、イオン測定器３０及びイオンレベル表示器４０が付設され、これらはそれぞれイオン発生ユニット１００の一部を構成している。イオン測定器３０は、遊技領域３０３の下方において回転枠３２０（前面枠３２１）に一体化された上皿３２１ｂの前面部左隅寄りに取り付けられている。イオン測定器３０は、イオン発生電極１０で発生する負イオンの発生量を、単位体積当りに存在する負イオンの個数として計測する。また、イオンレベル表示器４０は、回転枠３２０（前面枠３２１）の上縁部３２０ａの左隅に取り付けられている。このイオンレベル表示器４０を用いて、イオン測定器３０で計測した負イオンの発生量（濃度；密度）を絶対値で表示したり相対的に表示したりすることができる。図６に、負イオンの発生量に応じて相対的に表示長さを変えて点灯表示するイオンレベル表示器４０の一例を示す。
【００２９】
ここで、図１に示すパチンコ機３００及びイオン発生ユニット１００の作動について概要を説明する。まず、発射ハンドル３３１を操作すると発射装置３３０（図４参照）が始動し、遊技球が発射レール３０２を通り遊技領域３０３に打ち込まれる。遊技球が電動チューリップ、大入賞口等の入賞装置３５０に入球すると、賞球払出装置３４０（図４参照）が始動して賞球を払い出し、賞球は上皿３２１ｂ又は下皿３２１ｃに貯留される。また、発射ハンドル３３１の操作に伴ってイオン発生用制御基板２０の高電圧発生回路２１が起動し、イオン発生電極１０に負イオンが発生する。イオン発生電極１０で発生した負イオンは、回転枠３２０（前面枠３２１）の上縁部３２０ａの右隅に形成された通気孔３２１ａから前面側の遊技者に向けて放出される。負イオンの発生量（放出量）が、遊技領域３０３の下方において上皿３２１ｂの前面部左隅寄りに取り付けられたイオン測定器３０で計測され、イオンレベル表示器４０に表示される。
【００３０】
このように、遊技者の頭上に位置する通気孔３２１ａから負イオンが放出されるので、遊技者はほぼ全身にわたりシャワー状に負イオンを浴びることができる。しかも、通気孔３２１ａは遊技領域３０３よりも外側で、かつガラス枠３２２の周縁よりも外側に位置するため、イオン発生電極１０で発生した負イオンが遊技盤３０１上での静電気除去のため途中で無駄に消費されたり、ガラス面Ｇ（図２参照）で遮断されたりすることなく遊技者に到達する。なお、遊技機３００の周囲に浮遊する塵埃等の汚れ物質がイオン発生電極１０に届きにくくするために、あるいは防犯上有利とするために、通気孔３２１ａは多数の小孔から構成されている。また、イオン測定器３０は、遊技領域３０３の上方において右隅に位置する通気孔３２１ａ、及び遊技領域３０３の下方において右隅に位置する発射ハンドル３３１とそれぞれ左右対称位置に取り付けられている。このため、発射ハンドル３３１を操作する遊技者の腕等によって負イオンの放出流が遮られることなく、放出量がイオン測定器３０により計測できる。
【００３１】
図４に表わされているように、イオン発生用制御基板２０は固定枠３１０又は回転枠３２０の上縁部右隅に取り付けられ、遊技機３００の各制御基板３０５，３０６，３０７から最も遠い位置に設けられているので、高電圧発生に伴うノイズ混入を効果的に防止できる。
【００３２】
（実施例２）
図７は図４の変形例を示す背面図、図８は図７の遊技機に用いられ、本発明を適用した遊技機用イオン発生ユニットの他の例を示す斜視図である。
この実施例のイオン発生ユニット１５０には、既述のイオン発生電極１０、イオン発生用制御基板２０、イオン測定器３０、イオンレベル表示器４０、ケース６０に加えて、イオン発生電極１０に付着する付着物を除去するクリーニング機構５０が付設され、これらはそれぞれイオン発生ユニット１５０の一部を構成している。そして、図８に示すように、イオン発生ユニット１５０ではイオン発生電極１０とクリーニング機構５０とが一体化され、ケース６０に収容されている。
【００３３】
したがって、図７のパチンコ機３５０（遊技機）において、イオン発生電極１０とクリーニング機構５０とは、ケース６０に収容される形で（図８参照）、固定枠３１０の上縁部３１０ａの右隅に形成された凹部３１２（図３（ａ）参照）、又は回転枠３２０（前面枠３２１）の上縁部３２０ａの右隅に形成された凹部３２４（図３（ｂ）参照）に収容・取付されている。一方、イオン発生ユニット１５０を構成するイオン発生用制御基板２０は、遊技盤３０１の裏面側（後面側）の上部左隅に取り付けられている。なお、実施例１と同様に、イオン発生用制御基板２０をイオン発生電極１０及びクリーニング機構５０と一体化し、ケース６０に収容してもよい。
【００３４】
図８に示すクリーニング機構５０では、イオン発生電極１０のイオン放出方向にほぼ直交して位置させた棒状の火花放電対向電極５１を用いて、イオン発生電極１０に付着する付着物を電気的発熱により焼失させる方式を採用している（詳細は特開２００２−１５８３４号公報等参照）。
【００３５】
（実験例）
次に、本発明に係る遊技機用イオン発生ユニットを搭載した遊技機を用いて、負イオン発生量の測定実験を行った。
【００３６】
図９にイオン発生量測定装置の配置を示す。本実験には図１に示すパチンコ機３００を用いた。このパチンコ機３００にイオン発生ユニット１００を搭載後、発射ハンドル３３１の中心位置から通気孔３２１ａの上下方向の中心位置までの高さＨ１を測定すると６００ｍｍであった。そこで、負イオンカウンタＭ（株式会社ファインウェイ製：ＦＷ　ＩＯＮ　ＣＯＵＮＴＥＲ）を載置するテーブルＴの高さを調整して、負イオンカウンタＭの測定部を発射ハンドル３３１の中心位置に一致させた。また、通気孔３２１ａの前端から負イオンカウンタＭの測定部までの水平距離Ｄを３５０ｍｍに調整した。これによって、負イオンカウンタＭの測定部は概ね遊技中の遊技者の肘の位置に置かれることとなった。この実験室は遊技店を模して設計されており、天井Ｃには通常の遊技店と同様に室内用大型エアコンディショナ（以下、エアコンという）Ｅが設置されている。なお、発射ハンドル３３１の中心位置からエアコンＥの吹出口までの高さＨ２はおよそ３ｍであった。
【００３７】
（実験条件１）
▲１▼まず、エアコンＥを停止した状態でイオン発生ユニット１００を１０分間稼働させ、このときの負イオン発生量（放出量）を負イオンカウンタＭで連続的に計測した。
▲２▼次に、エアコンＥを風向スイングとともにフルパワーで運転した状態でイオン発生ユニット１００を１０分間稼働させ、同様に負イオン発生量（放出量）を計測した。
（実験条件２）
イオン発生ユニット１００のイオン発生電極１０に対してイオン放出方向前方側（図９のＦ位置）に小型送風ファン（シロッコファン）を設置し、実験条件１の場合と同様に▲１▼▲２▼の実験を行った。
（実験条件３）
イオン発生ユニット１００のイオン発生電極１０に対してイオン放出方向後方側（図９のＲ位置）に小型送風ファン（シロッコファン）を設置し、実験条件１の場合と同様に▲１▼▲２▼の実験を行った。
以上の実験結果を表１に示す。
【００３８】
【表１】
2004105302.tif 000003
【００３９】
表１によると、
（ア）負イオンの平均発生量（発生総量）は、送風ファンなしのとき（（１））が最も大きく、送風ファンがＦ位置にあるとき（（２））には２／３程度に減少し、送風ファンがＲ位置にあるとき（（３））には約１割減少する。
（イ）エアコンＥを停止した場合（▲１▼）と運転した場合（▲２▼）とを比較すると、平均値においては有意な差は見られないが、ピーク値では大きく異なる。
【００４０】
したがって、送風ファン（強制送風手段）については、パチンコ機３００，３５０に搭載するイオン発生ユニット１００，１５０において、実施例に記載した通りイオン発生電極１０の前後いずれにも設けないことが、負イオンの発生量とコストの両面からみて望ましい。送風ファンを設置する場合には、イオン発生電極１０の前方側よりも後方側の方がよい。負イオンの発生量の減少割合が小さくてすむからである。なお、送風ファンを設置したときに負イオンの発生量が減少する理由として、送風ファンの風圧によって、イオン発生電極１０で発生した負イオンが潰れて消滅してしまうことが推定される。また、送風ファンを前方側に設置したときには、さらに負イオンが送風ファンの羽根に衝突して消滅すると考えられる。
【００４１】
エアコンＥの運転・停止によって負イオンの平均発生量（発生総量）にほとんど変化は見られないが、運転した場合にはピーク値の変動が激しい。負イオンカウンタＭの測定波形データから、負イオンの発生量のピーク値はエアコンＥの風向スイングの周期毎に出現することが確認された。ただし、上記の通りエアコンを運転している場合でも、負イオンの発生総量としてはエアコン停止状態と大差はなく、島単位あるいは遊技店全体としてみれば十分に負イオンが発生していると見ることができる。
【００４２】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【００４３】
例えば、高電圧発生回路２１及び／又はクリーニング機構５０を遊技機３００，３５０の始動とは別に起動させるスイッチを設けることができる。その際、スイッチ操作を促すための表示部をイオンレベル表示器４０に併設してもよい。また、イオン測定器３０で計測された負イオン発生量が所定値以下になったときに自動的にこれらを起動させてもよい。
【００４４】
なお、クリーニング機構５０として電気的に焼失させる方法の他に、機械的又は化学的に除去する方法を用いることができる。
【図面の簡単な説明】
【図１】本発明に係る遊技機用イオン発生ユニットを搭載した遊技機の一例を示す正面図。
【図２】図１の一部を分解して示す斜視図。
【図３】図２のＡ−Ａ断面図。
【図４】図１の背面図。
【図５】本発明を適用した遊技機用イオン発生ユニットの一例を示す斜視図、平面図及び正面図。
【図６】イオンレベル表示器の一例を示す正面図。
【図７】図４の変形例を示す背面図。
【図８】本発明を適用した遊技機用イオン発生ユニットの他の例を示す斜視図。
【図９】イオン発生量測定装置の側面図。
【符号の説明】
１０　　　イオン発生電極
２０　　　イオン発生用制御基板
３０　　　イオン測定器
４０　　　イオンレベル表示器
５０　　　クリーニング機構
６０　　　ケース
１００，１５０　遊技機用イオン発生ユニット
３００，３５０　パチンコ機（遊技機）
３０１　　遊技盤
３０３　　遊技領域
３１０　　固定枠
３１２　　収容空間部
３２０　　回転枠
３２１　　前面枠
３２１ａ　通気孔（開口）
３２２　　ガラス枠
３２４　　凹部（収容空間部）
【図１】
2004105302.tif 000004
【図２】
2004105302.tif 000005
【図３】
2004105302.tif 000006
【図４】
2004105302.tif 000007
【図５】
2004105302.tif 000008
【図６】
2004105302.tif 000009
【図７】
2004105302.tif 000010
【図８】
2004105302.tif 000011
【図９】
2004105302.tif 000012